(57)【特許請求の範囲】
【請求項１】
人体の皮膚に施術を行うレーザ照射装置において、
グリップ部と鏡筒部とを備えるケーシングと、
前記ケーシングの内部に収容され、前記鏡筒部を通過して照射されるレーザを生じさせるように形成されるレーザ発振器と、
前記鏡筒部の端部に露出される電極と前記電極に流れる電流を感知する接触感知部とを備える接触センサユニットと、
前記鏡筒部に着脱可能に連結され、前記接触センサユニットの前記電極を介して伝達される電気信号に基づいて動作する皮膚施術ユニットと、を含み、
前記皮膚施術ユニットは、
被接触部との接触面を提供するように形成されるプレートと、
前記プレートに印加されるイオントフォレシス施術のための電流を生成及び制御するイオントフォレシスモジュールと、を含む、レーザ照射装置。
【請求項２】
前記皮膚施術ユニットは、前記プレートに超音波を印加する超音波素子を備える超音波モジュールをさらに含む、請求項１に記載のレーザ照射装置。
【請求項３】
前記皮膚施術ユニットは、前記イオントフォレシスモジュールと前記電極とを互いに連結するように形成される配線部をさらに含む、請求項１に記載のレーザ照射装置。
【請求項４】
前記皮膚施術ユニットは、
被接触部との接触面を提供するように形成され、前記鏡筒部によりガイドされるレーザ照射経路を閉鎖するように配置されるプレートと、
前記プレートと連結されて前記鏡筒部に結合される延長グリップ部と、を含む、請求項１に記載のレーザ照射装置。
【請求項５】
前記皮膚施術ユニットは、
前記延長グリップ部の表面に施術者の把持有無を感知するように形成される延長グリップ感知部をさらに含む、請求項４に記載のレーザ照射装置。
【請求項６】
前記ケーシングは、互いに異なる方向にそれぞれ延びており、互いに離隔して配置される前記グリップ部と前記鏡筒部とを互いに連結するように形成されるメインハウジングをさらに含む、請求項１に記載のレーザ照射装置。
【請求項７】
前記ケーシングの内部に取り付けられ、前記レーザ発振器を動作する電源を供給し、前記皮膚施術ユニットを取り付ける際、前記電極を介して前記皮膚施術ユニットに電源を供給するように構成されるバッテリをさらに含む、請求項１に記載のレーザ照射装置。
【請求項８】
前記ケーシングの内部に配置され、前記鏡筒部に前記皮膚施術ユニットが結合する際、前記皮膚施術ユニットを、第１の極性の電流を被接触部に伝達する第１のイオントフォレシスモード、前記第１の極性とは異なる第２の極性の電流を被接触部に伝達する第２のイオントフォレシスモード、及び超音波を被接触部に伝達する超音波モードのうち何れか１つで動作するように制御するメイン制御部をさらに含む、請求項１に記載のレーザ照射装置。
【請求項９】
前記メイン制御部を操作するための信号を入力してもらうように形成されるインターフェース部をさらに含む、請求項８に記載のレーザ照射装置。
【請求項１０】
前記鏡筒部に収容され、前記レーザ発振器から生じるレーザをガイドするように形成されるビーム鏡筒をさらに含み、
前記ビーム鏡筒には、前記皮膚施術ユニットが結合される端部面に前記電極が露出されるように設けられることを特徴とする、請求項１に記載のレーザ照射装置。
【請求項１１】
前記ビーム鏡筒の内部には、前記レーザ発振器から生じるレーザを複数のレーザビームに加工し、前記レーザビームのそれぞれを長さ方向にガイドするレンズ部が設けられることを特徴とする、請求項１０に記載のレーザ照射装置。
【請求項１２】
前記ビーム鏡筒には、前記電極が露出される側の外周面で窪み、長さ方向及び円周方向に順次に延びて形成されるホック溝が形成され、
前記皮膚施術ユニットは、内周面に前記ホック溝に挿入されるホック突起が形成されて前記ビーム鏡筒と結合される連結鏡筒部を含む、請求項１０に記載のレーザ照射装置。
【請求項１３】
前記鏡筒部に着脱可能に連結される延長鏡筒と、前記電極と連結され、前記鏡筒部に連結される反対側に突出するように前記延長鏡筒に設けられる延長電極と、を含む延長鏡筒ユニットをさらに含む、請求項１に記載のレーザ照射装置。
【請求項１４】
前記皮膚施術ユニットは、
被接触部を冷却するように構成される冷却モジュールと、
前記冷却モジュールと前記電極とを互いに連結する配線部と、を含む、請求項１に記載のレーザ照射装置。
【請求項１５】
前記冷却モジュールは、
一面が冷却して前記被接触部から熱を吸収するように形成される冷却素子と、
前記冷却素子の他面に連結される放熱部と、
前記放熱部に連結されて冷却気流を形成する冷却ファンと、を含む、請求項１４に記載のレーザ照射装置。
【請求項１６】
前記皮膚施術ユニットは、光エネルギーを照射するように形成されるＬＥＤ素子と、前記電極から伝達される電気信号に基づいて前記ＬＥＤ素子を制御するように構成される制御基板部と、を備えるＬＥＤモジュールを含む、請求項１に記載のレーザ照射装置。
【発明の詳細な説明】
【技術分野】
【０００１】
本発明は、人体の皮膚に施術を行うレーザ照射装置に関する。
【背景技術】
【０００２】
近年、各種先端技術の発達に伴う各種医療機器の発達に従い、医療分野においても、従前とは異なり、先端のレーザ機器が各種疾病の治療に活用されている傾向である。
【０００３】
医療用として使用されるレーザの用途の一つが、皮膚にレーザ光を照射することで皮膚を穿孔することであり、皮膚を穿孔することで穿孔された皮膚から採血をしたり、穿孔された小さな孔に薬剤を投与したり、皮膚のほくろやそばかすなどを除去することに使用されている（特許文献１）。
【０００４】
一方、近年、疾病を治療する医療だけでなく、皮膚美容などの目的で様々な先端医療機器による様々な施術が導入されている。例えば、皮膚に電位差を与え、皮膚の電気的環境を変化させることにより、イオン性薬物の皮膚透過を増加させるガルバニック又はイオントフォレシス（ｉｏｎｔｏｐｈｏｒｅｓｉｓ）施術が挙げられる。また、超音波を皮膚に印加し、刺激を与えることで再生や治療を図る超音波施術も様々に活用されている。
【０００５】
このように、医療及び美容分野において、レーザ、イオントフォレシス、超音波を利用した施術と係わる需要はさらに増大しており、かかる施術を効果的に提供する装置又は方法が要求されている。
【先行技術文献】
【特許文献】
【０００６】
（特許文献１）ＫＲ１０−１７４２７１１Ｂ１（２０１７年５月２６日付で登録）
【発明の概要】
【発明が解決しようとする課題】
【０００７】
本発明の一目的は、レーザ施術を提供する構成を共有し、レーザ施術と連携した皮膚への施術が効果的に実施されるように構成されるレーザ照射装置を提供することである。
【０００８】
本発明の他の一目的は、レーザ施術と、イオントフォレシス施術、超音波施術、ＬＥＤ施術、又は皮膚の冷却を可能にしつつ、各施術の便宜性を上げられるように構成されるレーザ照射装置を提供することである。
【０００９】
本発明のさらに他の一目的は、レーザ施術のための電源及び制御構成などを共有することにより、皮膚への施術が可能な付加モジュールが小型化され得るレーザ照射装置を提供することである。
【００１０】
但し、本実施例が達成しようとする技術的課題は、上記したような技術的課題に限定されるものではなく、他の技術的課題が存在し得る。
【課題を解決するための手段】
【００１１】
本発明の目的を達成するために、本発明に係るレーザ照射装置は、人体の皮膚に施術を行うものであって、グリップ部と鏡筒部とを備えるケーシングと、前記ケーシングの内部に収容され、前記鏡筒部を通過して照射されるレーザを生じさせるように形成されるレーザ発振器と、前記鏡筒部の端部に露出される電極と前記電極に流れる電流を感知する接触感知部とを備える接触センサユニットと、前記鏡筒部に着脱可能に連結され、前記接触センサユニットの前記電極を介して伝達される電気信号に基づいて動作する皮膚施術ユニットと、を含む。
【００１２】
前記皮膚施術ユニットは、被接触部との接触面を提供するように形成されるプレートと、前記プレートに印加されるイオントフォレシス施術のための電流を生成及び制御するイオントフォレシスモジュールと、を含んでいても良い。
【００１３】
前記皮膚施術ユニットは、前記プレートに超音波を印加する超音波素子を備える超音波モジュールをさらに含んでいても良い。
【００１４】
前記皮膚施術ユニットは、前記イオントフォレシスモジュールと前記電極とを互いに連結するように形成される配線部をさらに含んでいても良い。
【００１５】
前記皮膚施術ユニットは、被接触部との接触面を提供するように形成され、前記鏡筒部によりガイドされるレーザ照射経路を閉鎖するように配置されるプレートと、前記プレートと連結されて前記鏡筒部に結合され、前記鏡筒部と並んで延びる延長グリップ部と、を含んでいても良い。
【００１６】
前記皮膚施術ユニットは、前記延長グリップ部の表面に施術者の把持有無を感知するように形成される延長グリップ感知部をさらに含んでいても良い。
【００１７】
前記ケーシングは、互いに異なる方向にそれぞれ延びており、互いに離隔して配置される前記グリップ部と前記鏡筒部とを互いに連結するように形成されるメインハウジングをさらに含んでいても良い。
【００１８】
前記ケーシングの内部に取り付けられ、前記レーザ発振器を動作する電源を供給し、前記皮膚施術ユニットを取り付ける際、前記電極を介して前記皮膚施術ユニットに電源を供給するように構成されるバッテリをさらに含んでいても良い。
【００１９】
前記レーザ照射装置は、前記ケーシングの内部に配置され、前記鏡筒部に前記皮膚施術ユニットが結合する際、前記皮膚施術ユニットを、第１の極性の電流を被接触部に伝達する第１のイオントフォレシスモード、前記第１の極性とは異なる第２の極性の電流を被接触部に伝達する第２のイオントフォレシスモード、及び超音波を被接触部に伝達する超音波モードのうち何れか１つで動作するように制御するメイン制御部をさらに含んでいても良い。
【００２０】
前記レーザ照射装置は、前記メイン制御部を操作するための信号を入力してもらうように形成されるインターフェース部をさらに含んでいても良い。
【００２１】
前記レーザ照射装置は、前記鏡筒部に収容され、前記レーザ発振器から生じるレーザをガイドするように形成されるビーム鏡筒をさらに含み、前記ビーム鏡筒には、前記皮膚施術ユニットが結合される端部面に前記電極が露出されるように設けられても良い。
【００２２】
前記ビーム鏡筒の内部には、前記レーザ発振器から生じるレーザを複数のレーザビームに加工し、前記レーザビームのそれぞれを長さ方向にガイドするレンズ部が設けられても良い。
【００２３】
前記ビーム鏡筒には、前記電極が露出される側の外周面で窪み、長さ方向及び円周方向に順次に延びて形成されるホック溝が形成され、前記皮膚施術ユニットは、内周面に前記ホック溝に挿入されるホック突起が形成されて前記ビーム鏡筒と結合される連結鏡筒部を含んでいても良い。
【００２４】
前記レーザ照射装置は、前記鏡筒部に着脱可能に連結される延長鏡筒と、前記電極と連結され、前記鏡筒部に連結される反対側に突出するように前記延長鏡筒に設けられる延長電極と、を含む延長鏡筒ユニットをさらに含んでいても良い。
【発明の効果】
【００２５】
本発明に係るレーザ照射装置は、皮膚施術ユニットを鏡筒部の前方に取り付け、電極を連結して動作させることによって、レーザ施術と共にイオントフォレシス施術などを実施することができる。これにより、レーザ施術と連携したイオントフォレシス施術など様々な施術が迅速で且つ便利に切り換えられて実施されることができる。このような施術が簡便な動作で連携して実施されることによって、被施術者の満足感及び施術の効果を上げ、施術者の使用便宜性が向上することができる。
【００２６】
また、本発明によれば、皮膚施術ユニットに別途の延長グリップ部が形成され、施術者はレーザ施術時とは異なる位置及び異なる角度で本発明によるレーザ照射装置を把持することができる。従って、様々な皮膚への施術の際、施術者にとっての操作の便宜性が確保され、作業疲労度を最小化することができる。
【００２７】
さらに、本発明の皮膚施術ユニットは、ケーシングに取り付けられているメイン制御部、電源部、及びインターフェース部を利用して動作されることができる。連結構成も接触センサユニットの電極を使用するので、小型化及び軽量化が具現されることができる。
【図面の簡単な説明】
【００２８】
【図１】本発明に係るレーザ照射装置を示す斜視図である。
【図２】図１に示されたレーザ照射装置の断面を示す図である。
【図３】図２に示された鏡筒部及び皮膚施術ユニットの拡大図である。
【図４】図１に示された皮膚施術ユニットの斜視図である。
【図５】図１に示された延長鏡筒ユニットの斜視図である。
【図６】図１に示されたビーム鏡筒の一部の拡大図である。
【図７】本発明に係る皮膚施術ユニットの他の実施例を示す図である。
【図８】本発明に係る皮膚施術ユニットのさらに他の実施例を示す図である。
【発明を実施するための形態】
【００２９】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００３０】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味し、１つ或いはそれ以上の他の特徴や数字、ステップ、動作、構成要素、部分品、又はこれらを組み合わせたものの存在又は付加可能性を予め排除するものではないと理解されなければならない。
【００３１】
本発明に係るレーザ照射装置は、被施術者の被照射部にレーザを照射することで皮膚を微細に穿孔するなどの施術を実施し、鏡筒の端部に連結可能な皮膚施術ユニットを被照射部（被接触部）に接触してイオントフォレシス施術（ガルバニック施術）を実施することで、医療及び美容のための物質を被接触部の内部へ効果的に浸透させることができるように構成される。
【００３２】
以下、添付された図面を参考しながら、本発明の一実施例を詳しく説明することとする。
【００３３】
図１は、本発明に係るレーザ照射装置１００を示す斜視図であり、図２は、図１に示されたレーザ照射装置１００の断面を示す図である。図３は、図２に示された鏡筒部１１２及び皮膚施術ユニット１４０の拡大図である。また、図４は、図１に示された皮膚施術ユニット１４０の斜視図であり、図５は、図１に示された延長鏡筒ユニット１９０の斜視図である。図６は、図１に示されたビーム鏡筒１８０の一部の拡大図である。
【００３４】
図１及び図２を参照すると、本発明に係るレーザ照射装置１００は、ケーシング１１０と、レーザ発振器１２０と、接触センサユニット１３０と、皮膚施術ユニット１４０と、を含む。
【００３５】
ケーシング１１０は、本発明に係るレーザ照射装置１００の外観を形成し、グリップ部１１１と、鏡筒部１１２と、メインハウジング１１３と、を含んでいても良い。グリップ部１１１は、本発明のレーザ照射装置１００を施術者が把持できるよう略円筒状に形成され、グリップ部１１１の一端部（上端部）にメインハウジング１１３が連結されても良い。図２に示すように、グリップ部１１１には施術者の把持有無を感知するために、例えば、光又は電流を感知するセンサを含むグリップ感知部１１１ａが形成されても良い。グリップ感知部１１１ａは、本発明に係るレーザ照射装置１００においてレーザの照射を許容するか否かを判断する安全装置の役割を果たすことができる。
【００３６】
鏡筒部１１２は、略円筒状に形成され、メインハウジング１１３に連結されても良い。このとき、鏡筒部１１２とグリップ部１１１はメインハウジング１１３からそれぞれ異なる位置において互いに異なる方向へ延びても良い。図面に示すように、鏡筒部１１２は、メインハウジング１１３から前方に向けて延びるように配置されても良い。
【００３７】
レーザ発振器１２０は、ケーシング１１０の内部に収容され、鏡筒部１１２を通過して照射されるレーザを生じさせる。具体的に、レーザ発振器１２０は、メインハウジング１１３内に取り付けられ、レーザ充填キャパシタを含んでいても良い。レーザ発振器１２０は、生じたレーザが鏡筒部１１２に向かうように前後方向へ並んで配置されても良い。
【００３８】
接触センサユニット１３０は、電極１３１と接触感知部１３２とを備える。電極１３１は、鏡筒部１１２の端部に外部に露出されるように配置され、電流が流れるよう伝導性材質で形成されても良い。例えば、電極１３１は、一端部が外部に露出される複数のピンにより構成されても良い。また、電極１３１は、鏡筒部１１２の内部に収容される後述するビーム鏡筒１８０の一端部の周りに沿って離隔して配置されても良い。
【００３９】
接触感知部１３２は、電極１３１と連結され、電極１３１に流れる電流を感知するように構成されても良い。接触センサユニット１３０は、被施術者の被照射部の周りの皮膚に後述するビーム鏡筒１８０又は延長鏡筒１９１が密着される場合、電極１３１を介して流れる電流を接触感知部１３２で感知することによって、本発明に係るレーザ照射装置１００においてレーザの照射を許容するか否かを判断する安全装置の役割を果たすことができる。接触感知部１３２は、後述するメイン制御部１６０に設けられる構成要素であるか、或いは、図２に示すようにケーシング１１０の内部に別途配置される構成要素であっても良い。
【００４０】
本発明の皮膚施術ユニット１４０は、被施術者にイオントフォレシス施術を実施するための構成要素である。特に本発明では、レーザが照射される鏡筒部１１２の端部に皮膚施術ユニット１４０が着脱可能に連結されることによって、被施術者の皮膚にレーザ施術を実施した後、それと連携してレーザ施術部位（被照射部）にイオントフォレシス施術を実施することができる。
【００４１】
つまり、施術者は、被照射部にレーザ施術を実施した後、皮膚施術ユニット１４０を鏡筒部１１２に取り付け、被照射部（被接触部）に接触させた状態で、皮膚施術ユニット１４０を稼動して施術を実施することができる。このとき、皮膚施術ユニット１４０は、電極１３１と電気的に連結され、被接触部にイオントフォレシス施術のための電流を伝達するように形成されていても良い。
【００４２】
また、本発明に係るレーザ照射装置１００は、バッテリ１５０と、メイン制御部１６０と、インターフェース部１７０と、ビーム鏡筒１８０と、をさらに含んでいても良い。図２を参照すると、バッテリ１５０は、ケーシング１１０の内部に配置されても良い。バッテリ１５０は、レーザ発振器１２０を動作する電源を供給し、外部から供給される電源によって充填されても良い。
【００４３】
さらに、メイン制御部１６０は、ケーシング１１０の内部に配置されても良い。メイン制御部１６０は、レーザ照射モードに活性化し、レーザ発振器１２０の動作を制御することができる。例えば、メイン制御部１６０は、グリップ感知部１１１ａに施術者の把持が感知され、接触感知部１３２において被施術者と電極１３１との接触が感知される場合に、インターフェース部１７０のショットボタン１７１を入力することによってレーザが照射されるようにしても良い。
【００４４】
インターフェース部１７０は、施術者が本発明に係るレーザ照射装置１００を操作し、状態を確認するための構成であって、メイン制御部１６０を操作するための信号を入力してもらうように形成されても良い。例えば、ショットボタン１７１によってレーザの照射信号が入力され、モード設定ボタン１７２によってレーザの照射又は皮膚施術ユニット１４０の操作のための信号が入力されても良い。また、状態表示ランプ１７３によって本発明に係るレーザ照射装置１００のモード設定及び詳細情報が視覚的に提供されても良い。
【００４５】
一方、ビーム鏡筒１８０は、レーザ発振器１２０から生じるレーザをガイドするためのものであり、鏡筒部１１２の内部に設けられても良い。ビーム鏡筒１８０の内部には、レーザを前方にガイドするレンズ部１８１が設けられても良い。具体的に、レンズ部１８１は、レーザ発振器１２０から生じるレーザを複数のレーザビームに分割するなど加工し、それぞれのレーザビームがビーム鏡筒１８０の長さ方向（前方）に平行に照射されるようにガイドしても良い。
【００４６】
このようなビーム鏡筒１８０により、本発明において被照射部にレーザを照射する施術は、その後に行われる皮膚施術ユニット１４０による医療又は美容のための物質の浸透を効果的に行うためのものであり、被照射部に複数（数十個又は数百個）の位置に微細な穿孔を形成するように実施されても良い。図面に示すように、レンズ部１８１は、長さ方向に離隔して配置される複数のレンズにより構成されても良い。
【００４７】
また、本発明に係るレーザ照射装置１００は、鏡筒部１１２及びビーム鏡筒１８０の前端に着脱可能に連結される延長鏡筒ユニット１９０をさらに含んでいても良い。延長鏡筒ユニット１９０は、被照射部にレーザを照射するレーザモードで使用されるものであり、図５を参照しながら後述する。
【００４８】
上述したように、本発明に係るレーザ照射装置１００は、鏡筒部１１２に取り付けてイオントフォレシス施術を実施できる皮膚施術ユニット１４０を含む。これにより、別途の装備の取り替えや場所移動をすることなくレーザ施術と連携したイオントフォレシス施術又は超音波施術を便利に実施することができる。このような連携した施術が簡便に実施されることにより、被施術者にとっては施術の効果及び満足感を上げられるのはもちろん、施術者も複合的な施術を効率良く実施することができる。
【００４９】
以下では、本発明に備えられる皮膚施術ユニット１４０の具体的な構成及び機能について説明する。
【００５０】
図３を参照すると、皮膚施術ユニット１４０は、プレート１４１と、イオントフォレシスモジュール１４２と、超音波モジュール１４３と、配線部１４４と、延長グリップ部１４５と、を含んでいても良い。
【００５１】
プレート１４１は、被接触部との接触面を提供するように形成され、鏡筒部１１２によりガイドされるレーザ照射経路を閉鎖するように配置されても良い。図面に示すように、プレート１４１は、皮膚施術ユニット１４０の前方の端部面を形成しても良い。
【００５２】
延長グリップ部１４５は円筒状に形成され、一端部はプレート１４１と結合して閉鎖され、他端部は鏡筒部１１２に連結されても良い。延長グリップ部１４５は、鏡筒部１１２に連結した際に鏡筒部１１２と並んで延びるように配置されても良い。施術者は、レーザ発振器１２０の動作を制御する際はグリップ部１１１を把持してショットボタン１７１を操作し、皮膚施術ユニット１４０が動作する間は皮膚施術ユニット１４０を下方に向けて延長グリップ部１４５を把持した状態で施術を実施することができる。
【００５３】
このようなイオントフォレシス施術、ひいては超音波施術に関し、本発明に備えられる皮膚施術ユニット１４０は、延長グリップ感知部１４６をさらに含んでいても良い。延長グリップ感知部１４６は、延長グリップ部１４５の表面に配置され、施術者の把持有無を感知するように構成されても良い。上述したグリップ感知部１１１ａと同様に、延長グリップ感知部１４６は、施術者の接触による光信号又は電流信号の変化を感知する方式で構成されても良い。延長グリップ感知部１４６によって施術者の把持が感知される条件を満足した場合、皮膚施術ユニット１４０の動作が許容され、上述したメイン制御部１６０によってこのような条件を満足するか否かを判断しても良い。
【００５４】
このように、本発明の皮膚施術ユニット１４０には、延長グリップ部１４５が形成されることによって、施術者はイオントフォレシス施術又は超音波施術をより便利に実施することができる。具体的に、レーザ施術とは異なり、イオントフォレシス施術と超音波施術は、施術者がレーザ照射装置１００を把持して操作する時間が長く所要されることがある。従って、本発明のように鏡筒部１１２及び延長グリップ部１４５をメインハウジング１１３の下側に置いて把持することにより、レーザ照射のためのグリップ部１１１を把持することに比べて小さい力で操作することができる。
【００５５】
一方、図３を参照すると、イオントフォレシスモジュール１４２は、延長グリップ部１４５の内部に設けられ、イオントフォレシス施術のためにプレート１４１に印加される微細電流を生成しても良い。イオントフォレシスモジュール１４２は、バッテリ１５０から電源の供給を受け、メイン制御部１６０により制御及び動作されても良い。
【００５６】
超音波モジュール１４３は、超音波素子１４３ａを備えていても良い。超音波素子１４３ａは、プレート１４１の後方に設けられ、プレート１４１に超音波を印加するように構成されても良い。超音波モジュール１４３も、バッテリ１５０から電源の供給を受けてメイン制御部１６０により動作しても良く、超音波素子１４３ａは、プレート１４１を介して被接触部に超音波を伝達するように動作しても良い。
【００５７】
イオントフォレシスモジュール１４２及び超音波モジュール１４３は、配線部１４４により電極１３１と連結されても良い。図３に示すように、配線部１４４は、複数のピン状に形成され、鏡筒部１１２側に配置される電極１３１に対応するように配置されても良い。それにより、皮膚施術ユニット１４０が鏡筒部１１２に取り付けられた場合は、接触センサユニット１３０の電極１３１は配線部１４４と接触或いは電気的に連結され、被照射部の密着を感知する代わりに、皮膚施術ユニット１４０に信号を伝達したり、電源を供給する機能を果たすことができる。
【００５８】
さらに具体的に、鏡筒部１１２に連結される皮膚施術ユニット１４０は、メイン制御部１６０により動作が制御されても良い。つまり、メイン制御部１６０は、電極１３１及び配線部１４４を介してイオントフォレシスモジュール１４２又は超音波モジュール１４３に動作と係わる信号を送信しても良い。
【００５９】
例えば、メイン制御部１６０は、皮膚施術ユニット１４０を、第１のイオントフォレシスモード、第２のイオントフォレシスモード、及び超音波モードのうち何れか１つで動作させても良い。第１のイオントフォレシスモードは、第１の極性の電流を被接触部に伝達するモードであり、例えば、被接触部に塗布された医療用又は美容目的の物質（化粧品など）を被接触部の内部へ浸透させるように動作するモードであっても良い。
【００６０】
一方、第２のイオントフォレシスモードは、第１の極性と異なる第２の極性の電流を被接触部に伝達するモードであり、例えば、被接触部の内部の老廃物などを被接触部の表面に抽出することで除去するモードであっても良い。ここで、第１の極性及び第２の極性は、それぞれ陽極又は陰極のうち何れか１つであっても良い。
【００６１】
また、超音波モードは、超音波モジュール１４３によって被接触部に超音波を伝達するように動作するモードであっても良い。さらに具体的に、超音波モードは、所定時間毎に超音波の波形が切り替えられることによって、様々な波形又はパターンの超音波を順次伝達するように構成されても良い。
【００６２】
このような第１のイオントフォレシスモード、第２のイオントフォレシスモード、及び超音波モードは、上述したモード設定ボタン１７２により施術者が選択しても良い。
【００６３】
配線部１４４によりイオントフォレシスモジュール１４２及び超音波モジュール１４３がメイン制御部１６０とバッテリ１５０に連結されることによって、本発明に備えられる皮膚施術ユニット１４０は、別途の操作構成や電源を備えることなく簡潔に構成されても良い。特に、レーザ照射のためのセンシングに使用される電極１３１を利用してこのような電気連結が具現されることにより、追加の連結構造も省略できるという長所がある。
【００６４】
以下では、図４及び図６をさらに参照しながら、本発明に備えられる皮膚施術ユニット１４０が鏡筒部１１２及びビーム鏡筒１８０に連結される構成について説明する。
【００６５】
図６を参照すると、本発明に備えられるビーム鏡筒１８０の周りに沿って略９０度の間隔で４つの電極１３１が配置されていることが分かる。さらに、図４を参照すると、本発明に備えられる皮膚施術ユニット１４０は、プレート１４１の反対側に形成される連結鏡筒部１４７をさらに含んでいても良い。このような連結鏡筒部１４７は、図３に示すように、鏡筒部１１２の内周面とビーム鏡筒１８０の外周面の間に挿入されるよう後方に突出して形成されても良い。そして、連結鏡筒部１４７の内側には、電極１３１に対応する位置に配線部１４４の端部が露出されていても良い。
【００６６】
さらに、ビーム鏡筒１８０には、電極１３１が露出される側の外周面で窪んだホック溝１８２が形成されても良い。図６に示すように、ホック溝１８２は、長さ方向に延びる長さ方向溝１８２ａと、長さ方向溝１８２ａに次いで円周方向に延びる円周方向溝１８２ｂを備えていても良い。ホック溝１８２は、４つの電極１３１の間に略９０度の間隔で４つ形成されても良い。
【００６７】
それに対応して、連結鏡筒部１４７の内周面には、ホック溝１８２に挿入されるホック突起１４７ａが突出するように形成されても良い。ホック溝１８２に対応するよう、ホック突起１４７ａは略９０度の間隔で４つ形成されても良い。施術者は、長さ方向にホック溝１８２とホック突起１４７ａとが並んで対応するように整列した状態で連結鏡筒部１４７を鏡筒部１１２とビーム鏡筒１８０の間に長さ方向に挿入し、その後、皮膚施術ユニット１４０を円周方向に回転させることで円周方向溝１８２ｂにホック突起１４７ａが挿入されるように位置させても良い。ホック突起１４７ａが円周方向溝１８２ｂに挿入された後は、皮膚施術ユニット１４０が長さ方向にずれることが防止される。ホック突起１４７ａがホック溝１８２に挿入されてずれが防止されている状態で、電極１３１と配線部１４４とが互いに並んで配置されて接触することによって、互いに通電状態となることができる。
【００６８】
このように、接触センサユニット１３０の電極１３１に配線部１４４を連結する結合がホック溝１８２及びホック突起１４７ａにより具現されることで、施術者は別途の締結手段や複雑な締結作業なしに皮膚施術ユニット１４０を取り付け又は分離することができる。これにより、連携施術の便宜性がさらに向上することができる。
【００６９】
一方、本発明に備えられる延長鏡筒ユニット１９０は、レーザ照射モードでレーザをガイドし、被接触部との密着を助けるための構成である。図５を参照すると、延長鏡筒ユニット１９０は、延長鏡筒１９１と、延長電極１９２と、を含んでいても良い。
【００７０】
延長鏡筒１９１は、円筒状に形成され、鏡筒部１１２の端部に着脱可能に形成されても良い。延長鏡筒１９１は、上述した皮膚施術ユニット１４０の連結鏡筒部１４７と同じ直径を有し、一部が鏡筒部１１２とビーム鏡筒１８０の間に挿入されても良い。
【００７１】
延長鏡筒１９１には、電極１３１と接触及び電気連結される延長電極１９２が設けられても良い。延長電極１９２は、図５に示すように、電極１３１に対応する位置に配置されても良い。さらに、延長電極１９２は、鏡筒部１１２に連結される反対側（前方面）へ突出するように延長鏡筒１９１に設けられても良い。つまり、延長鏡筒ユニット１９０を鏡筒部１１２に取り付けた際、図１のように延長電極１９２が前方に露出される。
【００７２】
延長鏡筒ユニット１９０をさらに備えることで、施術者は、レーザ施術と、イオントフォレシス施術又は超音波施術の区分をより明確に認知することができる。また、ビーム鏡筒１８０に露出される電極１３１に比べて延長鏡筒ユニット１９０の延長電極１９２をより前方へ突出させる構成が可能となり、接触感知の正確性をより高めることができるので、施術の安全性がさらに保障される。
【００７３】
一方、図７は、本発明に係る皮膚施術ユニット２４０の他の実施例を示す図であり、図８は、本発明に係る皮膚施術ユニット３４０のさらに他の実施例を示す図である。以下では、図７及び図８をさらに参照しながら、皮膚冷却又はＬＥＤ施術を実施可能な皮膚施術ユニット２４０、３４０の構成及び機能について説明する。
【００７４】
図７を参照すると、本発明に備えられる皮膚施術ユニット２４０は、上述したように、被接触部との接触面を提供するように形成されるプレート２４１と、電極と連結される配線部２４４と、施術者の把持を容易にする延長グリップ部２４５と、鏡筒部１１２又はビーム鏡筒１８０との結合のための連結鏡筒部２４７と、を含んでいても良い。また、図７に示す皮膚施術ユニット２４０は、冷却モジュール２４２をさらに含んでいても良い。冷却モジュール２４２は、被接触部を冷却するように構成されるものであり、レーザ施術、イオントフォレシス施術、超音波施術、後述するＬＥＤ施術などと連携し、施術部位を冷却して刺激や痛症を緩和するためのものである。このような冷却モジュール２４２は、配線部２４４及び電極１３１によってバッテリ１５０、メイン制御部１６０、インターフェース部１７０などに連結され、駆動及び制御のための信号を受信するように構成されても良い。
【００７５】
さらに具体的に、冷却モジュール２４２は、冷却素子２４２ａと、放熱部２４２ｂと、冷却ファン２４２ｃと、を含んでいても良い。冷却素子２４２ａは、電気エネルギーによって一面が冷却し、他面が加熱される温度勾配を生じさせるペルティエ素子であっても良い。つまり、冷却素子２４２ａは、一面が冷却して前記被接触部から熱を吸収するように形成され、他面は放熱部２４２ｂと連結されても良い。ここで、冷却素子２４２ａの一面はプレート２４１を貫通して直接被接触部と接触するように構成されても良く、或いは、一面がプレート２４１と接触し、プレート２４１を介して被接触部の熱を吸収するように構成されても良い。冷却素子２４２ａは、バッテリ１５０及びメイン制御部１６０から電源及び信号の伝達を受けて制御されても良い。
【００７６】
放熱部２４２ｂは、温度が上昇する冷却素子２４２ａの他面に接触されても良い。放熱部２４２ｂは、伝導熱伝達に適した形状又は素材の特性により、冷却素子２４２ａの熱を速やかに拡散及び伝達することができる。なお、放熱部２４２ｂには冷却ファン２４２ｃがさらに連結され、冷却ファン２４２ｃは放熱部２４２ｂから伝達される熱を対流熱伝達によって分散させるための冷却気流を形成しても良い。
【００７７】
図８を参照すると、本発明に備えられる皮膚施術ユニット３４０は、配線部３４４と、延長グリップ部３４５と、連結鏡筒部３４７と、を含んでいても良い。皮膚施術ユニット３４０は、ＬＥＤモジュール３４２をさらに含み、様々な波長の光エネルギーを皮膚に照射するＬＥＤ施術に使用されても良い。図面に示すように、ＬＥＤモジュール３４２は、ＬＥＤ素子３４２ａと、制御基板部３４２ｂと、を備えていても良い。ＬＥＤ素子３４２ａは、予め設定された光エネルギーを生じさせて被接触部に照射するように構成され、制御基板部３４２ｂは、電極によりバッテリ１５０又はメイン制御部１６０から電源又は信号の伝達を受けてＬＥＤ素子３４２ａを制御しても良い。
【００７８】
以上の冷却モジュール２４２を含む皮膚施術ユニット２４０又はＬＥＤモジュール３４２を含む皮膚施術ユニット３４０は、それぞれを鏡筒部１１２に取り替えて着脱可能に構成されても良い。上述したイオントフォレシスモジュール１４２を含む皮膚施術ユニット１４０と同様に、連結鏡筒部１４７のホック突起１４７ａ構造を有しても良い。
【００７９】
本発明に係るレーザ照射装置１００は、様々な機能を果たす皮膚施術ユニット１４０、２４０、３４０を鏡筒部１１２に取り替えて結合できるように構成されることによって、レーザ施術、イオントフォレシス施術、及び超音波施術だけでなく、皮膚（被照射部又は被接触部）の刺激を緩和する冷却モード、様々な波長の光エネルギーを照射するＬＥＤモードを便利に実施することができる。
【００８０】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されても良く、同様に、分散したものと説明されている構成要素も結合された形態で実施されても良い。
【００８１】
本発明の範囲は、上記詳細な説明よりは後述する特許請求の範囲によって示され、特許請求の範囲の意味及び範囲、並びにその均等概念から導出される全ての変更又は変形された形態が本発明の範囲に含まれると解釈されなければならない。
【符号の説明】
【００８２】
１００：レーザ照射装置
１１０：ケーシング
１１１：グリップ部
１１１ａ：グリップ感知部
１１２：鏡筒部
１１３：メインハウジング
１２０：レーザ発振器
１３０：接触センサユニット
１３１：電極
１３２：接触感知部
１４０：皮膚施術ユニット
１４１、２４１：プレート
１４２：イオントフォレシスモジュール
１４３：超音波モジュール
１４３ａ：超音波素子
１４４、２４４、３４４：配線部
１４５、２４５、３４５：延長グリップ部
１４６：延長グリップ感知部
１４７、２４７、３４７：連結鏡筒部
１４７ａ：ホック突起
１５０：バッテリ
１６０：メイン制御部
１７０：インターフェース部
１７１：ショットボタン
１７２：モード設定ボタン
１７３：状態表示ランプ
１８０：ビーム鏡筒
１８１：レンズ部
１８２：ホック溝
１８２ａ：長さ方向溝
１８２ｂ：円周方向溝
１９０：延長鏡筒ユニット
１９１：延長鏡筒
１９１ａ：ホック突起
１９２：延長電極
２４２：冷却モジュール
２４２ａ：冷却素子
２４２ｂ：放熱部
２４２ｃ：冷却ファン
３４２：ＬＥＤモジュール
３４２ａ：ＬＥＤ素子
３４２ｂ：制御基板部
【図１】
0006961265.tif 000002
【図２】
0006961265.tif 000003
【図３】
0006961265.tif 000004
【図４】
0006961265.tif 000005
【図５】
0006961265.tif 000006
【図６】
0006961265.tif 000007
【図７】
0006961265.tif 000008
【図８】
0006961265.tif 000009